(57)【要約】【課題】モバイルプリンターが印刷処理を実行する場合であっても、モバイルプリンターの有する携帯性を高くすること。【解決手段】液体を媒体に向けて吐出する記録ヘッドと、前記記録ヘッドに電力を供給可能な第１バッテリーと、前記記録ヘッドに電力を供給可能であり着脱可能な第２バッテリーの電圧が前記記録ヘッドを駆動可能な第１電圧以上の場合、前記第１バッテリーの電力の供給を停止する停止部と、を備えるモバイルプリンター。【選択図】図６
2020044815.tif 000002
【特許請求の範囲】
【請求項１】
液体を媒体に向けて吐出する記録ヘッドと、
前記記録ヘッドに電力を供給可能な第１バッテリーと、
前記記録ヘッドに電力を供給可能であり着脱可能な第２バッテリーの電圧が前記記録ヘッドを駆動可能な第１電圧以上の場合、前記第１バッテリーの電力の供給を停止する停止部と、
を備えるモバイルプリンター。
【請求項２】
前記第１バッテリーの満充電状態の電圧は、前記第１電圧より低く、
前記第１バッテリーから前記記録ヘッドに電力を供給する第１経路及び前記第２バッテリーから前記記録ヘッドに電力を供給する第２経路に共通のノード、を備え、
前記停止部は、
前記第１経路上に設けられ、前記第１バッテリーの電圧を昇圧するか否かを切り替え可能な昇圧回路と、
前記第１経路上に設けられ、アノードが前記昇圧回路と電気的に接続され、カソードが前記ノードと電気的に接続されるダイオードと、を備え、
前記停止部は、
前記第２バッテリーの電圧が前記第１電圧以上の場合、前記昇圧回路による前記第１バッテリーの電圧の昇圧を停止し、
前記第２バッテリーの電圧が前記第１電圧未満の場合、前記昇圧回路によって前記第１バッテリーの電圧を前記第１電圧に昇圧する、
請求項１に記載のモバイルプリンター。
【請求項３】
前記第２経路上に設けられるスイッチと、
前記第２バッテリーの電圧が前記第１電圧以上の場合、前記昇圧回路に対して前記第１バッテリーの電圧の昇圧を停止させるとともに前記スイッチをオンさせ、前記第２バッテリーの電圧が前記第１電圧未満の場合、前記昇圧回路に対して前記第１バッテリーの電圧を前記第１電圧に昇圧させるとともに前記スイッチをオフさせる、制御部と、
を備える請求項２に記載のモバイルプリンター。
【請求項４】
前記第２バッテリーの最大容量は、前記第１バッテリーの最大容量より大きい、
請求項１乃至３のうち何れか１項に記載のモバイルプリンター。
【請求項５】
前記第２バッテリーの容量を報知する報知部を、
備える請求項１乃至４のうち何れか１項に記載のモバイルプリンター。
【発明の詳細な説明】
【技術分野】
【０００１】
本発明は、モバイルプリンターに関する。
【背景技術】
【０００２】
小型且つ軽量で、携帯性を備え、媒体に対して画像を形成する印刷処理を実行可能なモバイルプリンターが従来から提案されている。例えば、特許文献１には、バッテリーを内蔵するモバイルプリンターが開示されている。
【先行技術文献】
【特許文献】
【０００３】
【特許文献１】特開２０１８−０５２０３４号公報
【発明の概要】
【発明が解決しようとする課題】
【０００４】
しかしながら、従来のモバイルプリンターにおいて、モバイルプリンターに内蔵されているバッテリーが完全放電状態になると、当該モバイルプリンターにより印刷処理を実行するためには、商用電源からの電力の供給が必要となり、モバイルプリンターの有する携帯性が損なわれるという問題が存在する。
【課題を解決するための手段】
【０００５】
本発明の好適な態様に係るモバイルプリンターは、液体を媒体に向けて吐出する記録ヘッドと、前記記録ヘッドに電力を供給可能な第１バッテリーと、前記記録ヘッドに電力を供給可能であり着脱可能な第２バッテリーの電圧が前記記録ヘッドを駆動可能な第１電圧以上の場合、前記第１バッテリーの電力の供給を停止する停止部と、を備える。
【図面の簡単な説明】
【０００６】
【図１】ポータブルプリンターＰを正面側から見た外観斜視図。
【図２】カバー１６が開いている場合のポータブルプリンターＰの外観斜視図。
【図３】ポータブルプリンターＰを−Ｙ方向から見た外観斜視図。
【図４】ポータブルプリンターＰの機能構成の一例を示す機能ブロック図。
【図５】図２におけるＥ−ｅ線で切断する場合における、モバイルプリンター１の断面構造の概略の一例を示す断面図。
【図６】ポータブルプリンターＰの回路構成図の一例を示す図。
【図７】内蔵バッテリー電力供給モードによる電力の供給を示す図。
【図８】モバイルバッテリー電力供給モードによる電力の供給を示す図。
【発明を実施するための形態】
【０００７】
以下、実施するための形態について図面を参照して説明する。ただし、各図において、各部の寸法及び縮尺は、実際のものと適宜に異ならせてある。また、以下に述べる実施形態は、好適な具体例であるから、技術的に好ましい種々の限定が付されているが、本発明の範囲は、以下の説明において特に本発明を限定する旨の記載がない限り、これらの形態に限られるものではない。
【０００８】
＜＜Ａ．第１実施形態＞＞
本実施形態では、インクを吐出して媒体に画像を形成する印刷処理を実行可能なモバイルタイプのインクジェットプリンターであるモバイルプリンター１を含む、ポータブルプリンターＰを説明する。なお、インクは、「液体」の一例である。また、媒体とは、例えば、普通紙、写真、または、はがき等の記録用紙である。
【０００９】
＜＜１．モバイルプリンター１の概要＞＞
図１は、ポータブルプリンターＰを正面側から見た外観斜視図である。ポータブルプリンターＰは、モバイルプリンター１と、モバイルプリンター１に対して着脱可能なモバイルバッテリーユニット８と、を有する。図１に示すように、モバイルプリンター１には、開閉可能なカバー１６が設けられる。
【００１０】
図２は、カバー１６が開いている場合のポータブルプリンターＰの外観斜視図である。図２に示すように、モバイルバッテリーユニット８は、モバイルプリンター１の背面に装着される。
以下では、図２に示すように、モバイルプリンター１の前面方向を「＋Ｙ方向」と称し、モバイルプリンター１の背面方向を「−Ｙ方向」と称する。また、＋Ｙ方向及び−Ｙ方向を「Ｙ軸方向」と総称する。また、モバイルプリンター１を＋Ｙ方向から見たときに、モバイルプリンター１の右方向を「＋Ｘ方向」と称し、左方向を「−Ｘ方向」と称し、＋Ｘ方向及び−Ｘ方向を「Ｘ軸方向」と総称する。また、モバイルプリンター１の上方向を「＋Ｚ方向」と称し、下方向を「−Ｚ方向」と称し、＋Ｚ方向及び−Ｚ方向を「Ｚ軸方向」と総称する。
【００１１】
図２に示すように、モバイルプリンター１は、表示装置５０と、操作部１４と、媒体をモバイルプリンター１に給紙する給紙口ＦＰと、媒体を排紙する排紙口ＤＰとを、備える。表示装置５０は、モバイルプリンター１及びモバイルバッテリーユニット８に関する各種情報を表示可能であり、「報知部」の一例である。表示装置５０は、液晶パネル、電子ペーパーパネル及び有機エレクトロルミネッセンスパネル等の表示パネルを含んで形成される。操作部１４は、ユーザーの操作を受け付ける。
【００１２】
図３は、ポータブルプリンターＰを−Ｙ方向から見た外観斜視図である。図３に示すように、モバイルプリンター１は、ＡＣアダプターのＤＣプラグを差し込み可能なＤＣジャック１８と、ＵＳＢポート１９と、を備える。同様に、モバイルバッテリーユニット８は、ＤＣジャック８８を備える。ここで、ＡＣとは、Alternating  Currentの略称であり、ＤＣとは、Direct  Currentの略称であり、ＵＳＢとは、Universal  Serial  Busの略称である。
モバイルプリンター１は、ＵＳＢポート１９を介して、パーソナルコンピューターまたはデジタルカメラ等のホストコンピューターと電気的に接続することができる。モバイルプリンター１は、ホストコンピューターから、モバイルプリンター１が形成すべき画像を示す印刷データＩmgの供給を受けることができる。
【００１３】
＜＜２．ポータブルプリンターＰの機能の概要＞＞
図４は、ポータブルプリンターＰの機能構成の一例を示す機能ブロック図である。
上述のとおり、ポータブルプリンターＰは、モバイルプリンター１とモバイルバッテリーユニット８とを備える。
図４に例示するように、モバイルプリンター１は、モバイルプリンター１の各部を制御する制御モジュール１０と、インクを吐出可能な複数の吐出部が設けられた記録ヘッド３０と、記録ヘッド３０に設けられた吐出部からインクが吐出されるように記録ヘッド３０を駆動するための駆動信号Ｃomを生成する駆動信号生成回路２０と、媒体と記録ヘッド３０との相対位置を変化させるための搬送モジュール４０と、上述の表示装置５０と、モバイルプリンター１の各部に電力を供給可能な内蔵バッテリーモジュール７０と、モバイルプリンター１がモバイルバッテリーユニット８からの電力の供給を受けるか否かを切り替える電力供給スイッチ６００と、を備える。
また、モバイルバッテリーユニット８は、モバイルバッテリーユニット８がモバイルプリンター１に装着される場合に、モバイルプリンター１の各部に電力を供給可能なモバイルバッテリーモジュール８０を備える。
【００１４】
本実施形態では、一例として、制御モジュール１０が、メイン制御回路１１と、サブ制御回路１２と、を含む場合を想定する。
メイン制御回路１１は、例えば、ＣＰＵを含んで構成される。ここで、ＣＰＵは、Central  Processing  Unitの略称である。但し、メイン制御回路１１は、ＣＰＵの代わりに、または、ＣＰＵに加えて、ＤＳＰ、ＡＳＩＣ、ＰＬＤ、または、ＦＰＧＡ等を備えていてもよい。ここで、ＤＳＰは、Digital  Signal  Processorの略称である。ＡＳＩＣは、Application  Specific  Integrated  Circuitの略称である。ＰＬＤは、Programmable  Logic  Deviceの略称である。ＦＰＧＡは、Field  Programmable  Gate  Arrayの略称である。なお、本実施形態において、メイン制御回路１１は、「制御部」の一例である。
サブ制御回路１２は、例えば、ＣＰＵを含んで構成される。なお、サブ制御回路１２は、ＣＰＵの代わりに、または、ＣＰＵに加えて、ＤＳＰ、ＡＳＩＣ、ＰＬＤ、または、ＦＰＧＡ等を備えていてもよい。
【００１５】
メイン制御回路１１は、駆動信号生成回路２０において生成される駆動信号Ｃomの波形を規定する波形規定信号ｄComを、駆動信号生成回路２０に対して供給する。ここで、駆動信号Ｃomとは、記録ヘッド３０に設けられた吐出部を駆動するための信号である。また、メイン制御回路１１は、記録ヘッド３０に設けられた複数の吐出部のうち、駆動信号Ｃomにより駆動される吐出部を指定する印刷信号ＳＩを、記録ヘッド３０に対して供給する。また、メイン制御回路１１は、搬送モジュール４０を制御するための搬送制御信号ＳKを、搬送モジュール４０に対して供給する。また、メイン制御回路１１は、表示装置５０を制御するための表示制御信号Ｓhを、表示装置５０に対して供給する。
【００１６】
メイン制御回路１１は、電力供給スイッチ６００をオンするか否かを指定する指定信号Ｓnを、電力供給スイッチ６００に対して供給する。なお、モバイルプリンター１は、電力供給スイッチ６００がオンする場合、モバイルプリンター１に装着されるモバイルバッテリーユニット８からの電力の供給を受けることができる。また、メイン制御回路１１は、内蔵バッテリーモジュール７０を制御するための制御信号ＳSを、内蔵バッテリーモジュール７０に対して供給する。また、メイン制御回路１１は、モバイルバッテリーモジュール８０を制御するための制御信号Ｓaを、モバイルバッテリーモジュール８０に対して供給する。また、メイン制御回路１１は、モバイルバッテリーユニット８の状態を示す状態信号Ｓbと、モバイルバッテリーユニット８がモバイルプリンター１に装着されていることを示す装着信号Ｓcとを、モバイルバッテリーモジュール８０から取得する。
【００１７】
サブ制御回路１２は、内蔵バッテリーモジュール７０を制御するための制御信号ＳSaを、内蔵バッテリーモジュール７０に対して供給する。また、サブ制御回路１２は、内蔵バッテリーモジュール７０の状態を示す状態信号ＳSbを、内蔵バッテリーモジュール７０から取得する。
なお、メイン制御回路１１は、サブ制御回路１２に対して、制御信号ＳSaの出力を指示する指示信号Ｓpを供給する。また、メイン制御回路１１は、サブ制御回路１２から、サブ制御回路１２が有する情報を通知するための通知信号Ｓqが供給される。
【００１８】
＜＜３．モバイルプリンター１の構成＞＞
図５は、モバイルプリンター１を、図２におけるＥ−ｅ線で切断する場合における、モバイルプリンター１の断面構造の概略の一例を示す断面図である。なお、本実施形態では、一例として、モバイルプリンター１が、シリアルプリンターである場合を想定する。
【００１９】
図５に示すように、モバイルプリンター１は、記録ヘッド３０が取り付けられたキャリッジ４３と、キャリッジ４３の−Ｚ側に設けられ、媒体を支持するプラテン４６と、を備える。なお、搬送モジュール４０は、キャリッジ４３をＸ軸方向に往復動させるための駆動モーター４１を備える。
また、モバイルプリンター１は、給紙口ＦＰから投入される媒体を支持する媒体支持部４５と、給紙口ＦＰから投入される媒体をプラテン４６上へと＋Ｙ方向に搬送するための搬送ローラー対４７と、プラテン４６上の媒体を排紙口ＤＰへと＋Ｙ方向に搬送するための搬送ローラー対４８と、を備える。なお、搬送モジュール４０は、搬送ローラー対４７及び搬送ローラー対４８を駆動するための駆動モーター４２を備える。
【００２０】
本実施形態において、モバイルプリンター１は、印刷処理を実行する際に、メイン制御回路１１による制御の下で、媒体支持部４５及びプラテン４６により規定される媒体の搬送経路ＨKに沿って、媒体を、上流側である−Ｙ側から、下流側である＋Ｙ側へと搬送する。また、モバイルプリンター１は、印刷処理を実行する際に、メイン制御回路１１による制御の下で、駆動モーター４１により、キャリッジ４３を、主走査方向であるＸ軸方向に往復動させる。更に、モバイルプリンター１は、印刷処理を実行する際に、メイン制御回路１１による制御の下で、キャリッジ４３に取り付けられた記録ヘッド３０から、プラテン４６上に搬送される媒体に対して、インクを吐出させる。このため、本実施形態において、モバイルプリンター１は、印刷処理において、印刷データＩmgに応じた画像を、媒体の全面に形成することができる。
【００２１】
なお、本実施形態では、一例として、図５に示すように、メイン制御回路１１が、記録ヘッド３０よりも−Ｙ側に配置される基板１０１上に設けられ、また、サブ制御回路１２が、給紙口ＦＰよりも−Ｙ側に配置される基板１０２上に設けられ、内蔵バッテリーモジュール７０が、記録ヘッド３０よりも−Ｙ側に設けられている場合を想定する。
【００２２】
内蔵バッテリーモジュール７０は、内蔵バッテリー７１を備える。内蔵バッテリー７１は、制御モジュール１０、駆動信号生成回路２０、記録ヘッド３０、搬送モジュール４０、及び、表示装置５０等の、電力供給対象に対して電力を供給することができる。なお、内蔵バッテリー７１は、「第１バッテリー」の一例である。本実施形態では、内蔵バッテリー７１として、リチウムイオンバッテリーを採用する。
【００２３】
また、本実施形態では、一例として、モバイルバッテリーユニット８が、モバイルプリンター１の−Ｙ側に装着可能である場合を想定する。
モバイルバッテリーユニット８に設けられたモバイルバッテリーモジュール８０は、モバイルバッテリー８１を備える。モバイルバッテリー８１は、モバイルバッテリーユニット８がモバイルプリンター１に装着され、且つ、電力供給スイッチ６００がオンする場合、制御モジュール１０、駆動信号生成回路２０、記録ヘッド３０、搬送モジュール４０、及び、表示装置５０等の、電力供給対象に対して電力を供給することができる。なお、モバイルバッテリー８１は、「第２バッテリー」の一例である。本実施形態では、モバイルバッテリー８１として、リチウムイオンバッテリーを採用する。また、本実施形態では、モバイルバッテリー８１の最大容量が、内蔵バッテリー７１の最大容量よりも大きい場合を想定する。
【００２４】
なお、本実施形態において、「電力供給対象に対して電力を供給する」とは、電力供給対象に対して、高電位側の電源電位と、グランド電位等の低電位側の基準電位とを設定することで、当該電力供給対象に対して、高電位側の電源電位と低電位側の基準電位との電位差である電源電圧を印加することである。以下では、「電力供給対象に対して電源電圧を印加する」ことを、単に、「電力供給対象に対して電源電圧を供給する」と表現する場合がある。
また、説明を簡略化するため、ダイオードの導通時の電圧降下を無視し、アノードに供給される電圧の符号と、カソードから供給する電圧の符号とを同一に設定する。
【００２５】
＜＜４．ポータブルプリンターＰの回路構成＞＞
図６は、ポータブルプリンターＰの回路構成図の一例である。なお、図６では、説明の便宜上、ポータブルプリンターＰの備える配線のうち、信号線の記載を省略し、電力線のみを記載している。また、以下では、電力線、または、電気的に接続される複数の電力線を、「ノード」と称する場合がある。
【００２６】
上述のように、モバイルプリンター１は、上述のとおり、制御モジュール１０、駆動信号生成回路２０、記録ヘッド３０、搬送モジュール４０、表示装置５０、内蔵バッテリーモジュール７０、及び、電力供給スイッチ６００を備える。また、モバイルプリンター１は、ヘッド側昇圧回路６１２、モバイル用昇圧回路６１３、サブ側降圧回路６２１、メイン側降圧回路６２２、及び、周辺機能用降圧回路６２３を備える。さらに、モバイルプリンター１は、プリンター側ダイオード６５３、プリンター側ダイオード６５４、プリンター側ダイオード６５５、プリンター側ダイオード６５６、及び、プリンター側ダイオード６５７を備える。
また、モバイルバッテリーユニット８は、上述のように、モバイルバッテリーモジュール８０を備える。さらに、モバイルバッテリーユニット８は、モバイル側ダイオード８０２、モバイル側ダイオード８０８、及び、モバイル側ダイオード８０９を備える。
【００２７】
＜＜４．１．内蔵バッテリーモジュール７０の構成＞＞
内蔵バッテリーモジュール７０は、上述の内蔵バッテリー７１に加えて、充電回路７２と、停止回路７００と、を備える。なお、停止回路７００は、「停止部」の一例である。
【００２８】
充電回路７２は、サブ制御回路１２から供給される制御信号ＳSaに基づいて、内蔵バッテリー７１を充電する。ここで、制御信号ＳSaとは、充電回路７２に対して、内蔵バッテリー７１を充電するか否かを指定する信号である。なお、サブ制御回路１２は、メイン制御回路１１から供給される指示信号Ｓpに基づいて、充電回路７２に対して、制御信号ＳSaを供給する。ここで、指示信号Ｓpとは、充電回路７２に対して、内蔵バッテリー７１を充電するか否かを指定する信号である。
内蔵バッテリー７１は、停止回路７００に対して、電圧Ｖb1を供給する。電圧Ｖb1は、内蔵バッテリー７１が満充電状態である場合に、例えば、４．２Ｖである。また、内蔵バッテリー７１は、内蔵バッテリー７１の状態を示す状態信号ＳSbを、サブ制御回路１２に供給する。ここで、状態信号ＳSbとは、例えば、内蔵バッテリー７１の温度及び電圧等を示す信号である。なお、サブ制御回路１２は、内蔵バッテリー７１から供給される状態信号ＳSbに応じた情報を示す通知信号Ｓqを、メイン制御回路１１に供給する。
【００２９】
停止回路７００は、図６に示すように、停止部昇圧回路７３、及び、停止部ダイオード７４を備える。ここで、停止部昇圧回路７３は、「昇圧回路」の一例である。また、停止部ダイオード７４は、「ダイオード」の一例である。
停止部昇圧回路７３は、メイン制御回路１１から供給される制御信号ＳSに基づいて、内蔵バッテリー７１の出力する電圧Ｖb1を昇圧するか否かを切り替え可能である。ここで、制御信号ＳSとは、停止部昇圧回路７３に対して、内蔵バッテリー７１が出力する電圧Ｖb1を、電圧Ｖb1よりも高電圧の電圧Ｖh1に昇圧するか否かを指定する信号である。電圧Ｖh1は、例えば、最大で１３．２Ｖである。具体的には、停止部昇圧回路７３は、制御信号ＳSが、停止部昇圧回路７３に対して、昇圧することを指定する場合、内蔵バッテリー７１の出力する電圧Ｖb1を、電圧Ｖh1に昇圧する。また、停止部昇圧回路７３は、制御信号ＳSが、停止部昇圧回路７３に対して、昇圧しないことを指定する場合、内蔵バッテリー７１の出力する電圧Ｖb1を昇圧せず、内蔵バッテリー７１が出力する電圧Ｖb1そのものを停止部ダイオード７４のアノードに出力する。
停止部ダイオード７４は、アノードが停止部昇圧回路７３と電気的に接続されており、カソードがノードｎd1と電気的に接続されており、電流がノードｎd1から停止部昇圧回路７３に流れることを防止する。
なお、ノードｎd1は、停止部ダイオード７４のカソードの他に、プリンター側ダイオード６５４のカソード、電力供給スイッチ６００の出力端、ヘッド側昇圧回路６１２、及び、メイン側降圧回路６２２と電気的に接続されている。
【００３０】
＜＜４．２．モバイルバッテリーモジュール８０の構成＞＞
モバイルバッテリーモジュール８０は、モバイルバッテリー８１と、充電回路８２とを、備える。
充電回路８２は、メイン制御回路１１から供給される制御信号Ｓaに基づいて、モバイルバッテリー８１を充電する。ここで、制御信号Ｓaとは、充電回路８２に対して、モバイルバッテリー８１を充電するか否かを指定する信号である。
【００３１】
モバイルバッテリー８１は、モバイル側ダイオード８０２に対して、電圧Ｖb2を供給する。電圧Ｖb2は、モバイルバッテリー８１が満充電状態である場合、閾値電圧Ｖth以上の電圧となる。ここで、閾値電圧Ｖthとは、モバイルバッテリー８１が、閾値電圧Ｖthを出力する場合に、モバイルバッテリー８１からの電力供給により、制御モジュール１０、駆動信号生成回路２０、記録ヘッド３０、搬送モジュール４０、及び、表示装置５０等の、電力供給対象を駆動することができる電圧である。閾値電圧Ｖthは、例えば、１３．２Ｖである。すなわち、本実施形態において、閾値電圧Ｖthは電圧Ｖb1よりも高電圧である。なお、閾値電圧Ｖthは、「第１電圧」の一例である。
また、モバイルバッテリー８１は、モバイルバッテリー８１の状態を示す状態信号Ｓbを、メイン制御回路１１に供給する。ここで、状態信号Ｓbとは、例えば、モバイルバッテリー８１の温度及び電圧等を示す信号である。また、モバイルバッテリー８１は、モバイルバッテリーユニット８がモバイルプリンター１に装着されている場合、モバイルバッテリーユニット８がモバイルプリンター１に装着されていることを示す装着信号Ｓcを、メイン制御回路１１に供給する。
【００３２】
＜＜４．３．ポータブルプリンターＰにおける電力の供給＞＞
プリンター側ダイオード６５３は、アノードが、ＤＣジャック１８内の給電端子１８１と電気的に接続されており、カソードが、ノードｎd3と電気的に接続されている。プリンター側ダイオード６５３は、電流がノードｎd3から給電端子１８１に流れることを防止する。プリンター側ダイオード６５３のアノードには、ＤＣジャック１８にＡＣアダプターのＤＣプラグが差しこまれている場合、給電端子１８１を介して、電圧Ｖacが供給される。電圧Ｖacは、例えば、２４Ｖである。プリンター側ダイオード６５３は、アノードに電圧Ｖacが供給される場合に、ノードｎd3に対して、電圧Ｖacを供給する。
なお、ノードｎd3は、プリンター側ダイオード６５３のカソードの他に、プリンター側ダイオード６５４のアノード、モバイル側ダイオード８０８のアノード、及び、サブ側降圧回路６２１と電気的に接続されている。
【００３３】
プリンター側ダイオード６５４は、アノードが、ノードｎd3と電気的に接続されており、カソードが、ノードｎd1と電気的に接続されている。プリンター側ダイオード６５４は、電流がノードｎd1からノードｎd3に流れることを防止する。プリンター側ダイオード６５４は、アノードに電圧Ｖacが供給される場合に、ノードｎd1に対して、電圧Ｖacを供給する。なお、以下では、ノードｎd1の電圧を、電圧ＶhNと称する場合がある。
【００３４】
サブ側降圧回路６２１は、ノードｎd3を介して供給される電圧Ｖacを電圧Ｖl1に降圧し、ノードｎd5に対して電圧Ｖl1を供給する。電圧Ｖl1は、例えば、５．５Ｖである。
なお、ノードｎd5は、サブ側降圧回路６２１の他に、プリンター側ダイオード６５５のカソード、プリンター側ダイオード６５６のアノード、充電回路７２、及び、モバイル用昇圧回路６１３と電気的に接続されている。すなわち、充電回路７２には、ノードｎd5から、電圧Ｖl1が供給される。
【００３５】
プリンター側ダイオード６５５は、アノードが、ＵＳＢポート１９内の給電端子１９１と電気的に接続されており、カソードが、ノードｎd5と電気的に接続されている。プリンター側ダイオード６５５は、電流がノードｎd5から給電端子１９１に流れることを防止する。プリンター側ダイオード６５５のアノードには、ＵＳＢポート１９がホストコンピューターと電気的に接続される場合、給電端子１９１を介して、電圧Ｖl1が供給される。プリンター側ダイオード６５５は、アノードに電圧Ｖl1が供給される場合に、ノードｎd5に対して、電圧Ｖl1を供給する。
プリンター側ダイオード６５６は、アノードが、ノードｎd5と電気的に接続されており、カソードが、サブ制御回路１２と電気的に接続されている。プリンター側ダイオード６５６は、電流がサブ制御回路１２からノードｎd5に流れることを防止する。プリンター側ダイオード６５６は、アノードに電圧Ｖl1が供給される場合に、サブ制御回路１２に対して、電圧Ｖl1を供給する。
【００３６】
モバイル用昇圧回路６１３は、ノードｎd5を介して供給される電圧Ｖl1を電圧Ｖh3に昇圧する。モバイル用昇圧回路６１３は、モバイルバッテリーユニット８がモバイルプリンター１に装着されている場合、モバイル側ダイオード８０９のアノードに対して電圧Ｖh3を供給する。電圧Ｖh3は、例えば、２４Ｖである。
【００３７】
モバイル側ダイオード８０９は、アノードが、ＤＣジャック８８内の給電端子８８１と電気的に接続されており、カソードが、充電回路８２と電気的に接続されている。モバイル側ダイオード８０９は、電流が充電回路８２から給電端子８８１に流れることを防止する。モバイル側ダイオード８０９のアノードには、ＤＣジャック８８にＡＣアダプターのＤＣプラグが差しこまれている場合、給電端子８８１を介して、電圧Ｖacが供給される。モバイル側ダイオード８０９は、アノードに電圧Ｖacが供給される場合に、充電回路８２に対して、電圧Ｖacを供給する。
また、モバイル側ダイオード８０９は、モバイルバッテリーユニット８がモバイルプリンター１に装着されている場合、アノードが、モバイル用昇圧回路６１３と電気的に接続されている。モバイル側ダイオード８０９は、電流が充電回路８２からモバイル用昇圧回路６１３に流れることを防止する。モバイル側ダイオード８０９は、モバイル用昇圧回路６１３から電圧Ｖh3が供給される場合に、充電回路８２に対して、電圧Ｖh3を供給する。
モバイル側ダイオード８０８は、モバイルバッテリーユニット８がモバイルプリンター１に装着されている場合、アノードが、ノードｎd3と電気的に接続され、カソードが、充電回路８２と電気的に接続される。モバイル側ダイオード８０８は、電流が充電回路８２からノードｎd3に流れることを防止する。モバイル側ダイオード８０８は、ノードｎd3を介してアノードに電圧Ｖacが供給される場合に、充電回路８２に対して、電圧Ｖacを供給する。
【００３８】
モバイル側ダイオード８０２は、アノードが、モバイルバッテリー８１と電気的に接続されており、モバイルバッテリーユニット８がモバイルプリンター１に装着されている場合、カソードが、電力供給スイッチ６００の入力端と電気的に接続される。モバイル側ダイオード８０２は、電流が電力供給スイッチ６００からモバイルバッテリー８１に流れることを防止する。モバイル側ダイオード８０２は、モバイルバッテリー８１からアノードに電圧Ｖb2が供給される場合に、電力供給スイッチ６００に対して、電圧Ｖb2を供給する。
【００３９】
電力供給スイッチ６００は、メイン制御回路１１から供給される指定信号Ｓnに基づいて、モバイル側ダイオード８０２のカソードと、ノードｎd1とを、電気的に接続するか否かを切り替える。電力供給スイッチ６００がオンする場合、モバイル側ダイオード８０２から、電力供給スイッチ６００を介して、ノードｎd1に対して、電圧Ｖb2が供給される。
【００４０】
ヘッド側昇圧回路６１２は、ノードｎd1を介して供給される電圧ＶhNを電圧Ｖhに昇圧し、電圧Ｖhを、駆動信号生成回路２０、記録ヘッド３０、及び、周辺機能用降圧回路６２３に供給する。電圧Ｖhは、例えば、４２Ｖである。
周辺機能用降圧回路６２３は、ヘッド側昇圧回路６１２から供給される電圧Ｖhを電圧Ｖl3に降圧し、電圧Ｖl3を、搬送モジュール４０、及び、表示装置５０に供給する。電圧Ｖl3は、例えば、１１Ｖである。
【００４１】
メイン側降圧回路６２２は、ノードｎd1を介して供給される電圧ＶhNを、電圧Ｖl1と電圧Ｖl2とに降圧し、電圧Ｖl1をプリンター側ダイオード６５７のアノードに供給すると共に、電圧Ｖl2をメイン制御回路１１に供給する。電圧Ｖl2は、例えば、３．３Ｖである。
プリンター側ダイオード６５７は、アノードが、メイン側降圧回路６２２と電気的に接続されており、カソードが、サブ制御回路１２と電気的に接続されている。プリンター側ダイオード６５７は、電流がサブ制御回路１２からメイン側降圧回路６２２に流れることを防止する。プリンター側ダイオード６５７は、メイン側降圧回路６２２から供給される電圧Ｖl1を、サブ制御回路１２に対して供給する。
【００４２】
＜＜４．４．電力供給モード＞＞
以下、図７及び図８を参照しつつ、本実施形態に係るポータブルプリンターＰにおける、制御モジュール１０、駆動信号生成回路２０、記録ヘッド３０、搬送モジュール４０、及び、表示装置５０等の、電力供給対象に対する電力の供給の具体的な態様を説明する。
【００４３】
本実施形態におけるポータブルプリンターＰは、内蔵バッテリー電力供給モードと、モバイルバッテリー電力供給モードとの、２つの電力供給モードにより、電力供給対象に対する電力の供給が可能である。ここで、内蔵バッテリー電力供給モードとは、内蔵バッテリー７１から電力供給対象に対して電力の供給を行う電力供給モードである。また、モバイルバッテリー電力供給モードとは、モバイルバッテリー８１から電力供給対象に対して電力の供給を行う電力供給モードである。
【００４４】
メイン制御回路１１は、状態信号Ｓb及び装着信号Ｓcの一方または両方に基づいて、電力供給モードを、内蔵バッテリー電力供給モードまたはモバイルバッテリー電力供給モードに設定する。
具体的には、メイン制御回路１１は、装着信号Ｓcが、モバイルバッテリーユニット８がモバイルプリンター１に装着されていることを示していない場合に、電力供給モードを、内蔵バッテリー電力供給モードに設定する。また、メイン制御回路１１は、装着信号Ｓcが、モバイルバッテリーユニット８がモバイルプリンター１に装着されていることを示す場合であって、状態信号Ｓbが、モバイルバッテリー８１の電圧が閾値電圧Ｖth未満であることを示す場合において、電力供給モードを、内蔵バッテリー電力供給モードに設定する。
また、メイン制御回路１１は、装着信号Ｓcが、モバイルバッテリーユニット８がモバイルプリンター１に装着されていることを示す場合であって、状態信号Ｓbが、モバイルバッテリー８１の電圧が閾値電圧Ｖth以上であることを示す場合において、電力供給モードを、モバイルバッテリー電力供給モードに設定する。
【００４５】
図７は、内蔵バッテリー電力供給モードによる電力の供給を示す図である。
メイン制御回路１１は、電力供給モードを、内蔵バッテリー電力供給モードに設定する場合、停止部昇圧回路７３に対して、昇圧することを指定する制御信号ＳSを供給することで、停止部昇圧回路７３に対して、内蔵バッテリー７１が出力する電圧Ｖb1を、電圧Ｖh1に昇圧させる。また、メイン制御回路１１は、電力供給モードを、内蔵バッテリー電力供給モードに設定する場合、電力供給スイッチ６００に対して、オフを指定する指定信号Ｓnを供給することで、電力供給スイッチ６００をオフする。
内蔵バッテリー電力供給モードにおいて、停止部昇圧回路７３は、内蔵バッテリー７１から供給される電圧Ｖb1を、電圧Ｖh1に昇圧し、当該昇圧後の電圧Ｖh1を、停止部ダイオード７４を介して、ノードｎd1に供給する。そして、メイン側降圧回路６２２は、ノードｎd1を介して供給される電圧Ｖh1を、電圧Ｖl2及び電圧Ｖl1に降圧し、当該降圧後の電圧Ｖl2及び電圧Ｖl1を、制御モジュール１０に供給する。また、ヘッド側昇圧回路６１２は、ノードｎd1に供給される電圧Ｖh1を、電圧Ｖhに昇圧し、当該昇圧後の電圧Ｖhを、周辺機能用降圧回路６２３、記録ヘッド３０、及び、搬送モジュール４０に供給する。また、周辺機能用降圧回路６２３は、ヘッド側昇圧回路６１２から供給される電圧Ｖhを、電圧Ｖl3に降圧し、当該降圧後の電圧Ｖl3を、搬送モジュール４０及び表示装置５０に供給する。
【００４６】
なお、内蔵バッテリー電力供給モードにおいて、内蔵バッテリー７１は、記録ヘッド３０に対して、内蔵バッテリー電力供給経路ＲT1により、電力を供給する。内蔵バッテリー電力供給経路ＲT1は、「第１経路」の一例である。図７に示すように、内蔵バッテリー電力供給経路ＲT1は、内蔵バッテリー７１を始点とし、停止部昇圧回路７３、停止部ダイオード７４、ノードｎd1、及び、ヘッド側昇圧回路６１２を経由し、記録ヘッド３０を終点とする経路である。
【００４７】
図８は、モバイルバッテリー電力供給モードによる電力の供給を示す図である。
メイン制御回路１１は、電力供給モードを、モバイルバッテリー電力供給モードに設定する場合、停止部昇圧回路７３に対して、昇圧しないことを指定する制御信号ＳSを供給することで、停止部昇圧回路７３に対して、内蔵バッテリー７１が出力する電圧Ｖb1を、昇圧することなく、停止部ダイオード７４に対して出力させる。また、メイン制御回路１１は、電力供給モードを、モバイルバッテリー電力供給モードに設定する場合、電力供給スイッチ６００に対して、オンを指定する指定信号Ｓnを供給することで、電力供給スイッチ６００をオンする。
【００４８】
モバイルバッテリー電力供給モードにおいて、電力供給スイッチ６００がオンしているため、ノードｎd1は、モバイル側ダイオード８０２のカソードと、停止部ダイオード７４のカソードとに、電気的に接続している。そして、モバイル側ダイオード８０２のアノードに供給される電圧Ｖb2は、停止部ダイオード７４のアノードに供給される電圧Ｖb1よりも、高電圧である。このため、モバイル側ダイオード８０２からノードｎd1に対して電流が流れ込むのに対して、停止部ダイオード７４はオフするため、停止部ダイオード７４からノードｎd1に対して電流が流れ込むことはない。このように、モバイルバッテリー電力供給モードにおいて、モバイルバッテリー８１は、モバイル側ダイオード８０２及び電力供給スイッチ６００を介して、ノードｎd1に対して、電圧Ｖb2を供給する。
そして、モバイルバッテリー電力供給モードにおいて、メイン側降圧回路６２２は、ノードｎd1を介してモバイルバッテリー８１から供給される電圧Ｖb2を、電圧Ｖl2及び電圧Ｖl1に降圧し、当該降圧後の電圧Ｖl2及び電圧Ｖl1を、制御モジュール１０に供給する。また、ヘッド側昇圧回路６１２は、ノードｎd1を介してモバイルバッテリー８１から供給される電圧Ｖb2を、電圧Ｖhに昇圧し、当該昇圧後の電圧Ｖhを、周辺機能用降圧回路６２３、記録ヘッド３０、及び、搬送モジュール４０に供給する。また、周辺機能用降圧回路６２３は、ヘッド側昇圧回路６１２から供給される電圧Ｖhを、電圧Ｖl3に降圧し、当該降圧後の電圧Ｖl3を、搬送モジュール４０及び表示装置５０に供給する。
【００４９】
なお、モバイルバッテリー電力供給モードにおいて、モバイルバッテリーモジュール８０は、記録ヘッド３０に対して、モバイルバッテリー電力供給経路ＲT2により、電力を供給する。モバイルバッテリー電力供給経路ＲT2は、「第２経路」の一例である。図８に示すように、モバイルバッテリー電力供給経路ＲT2は、モバイルバッテリー８１を始点とし、モバイル側ダイオード８０２、電力供給スイッチ６００、ノードｎd1、及び、ヘッド側昇圧回路６１２を経由し、記録ヘッド３０を終点とする経路である。すなわち、ノードｎd1は、「内蔵バッテリー電力供給経路ＲT1及びモバイルバッテリー電力供給経路ＲT2に共通のノード」となる。
【００５０】
＜＜５．実施形態の効果＞＞
以上の説明のように、本実施形態の係るモバイルプリンター１は、液体を媒体に向けて吐出する記録ヘッド３０と、記録ヘッド３０に電力を供給可能な内蔵バッテリー７１と、記録ヘッド３０に電力を供給可能であり着脱可能なモバイルバッテリー８１の電圧が記録ヘッド３０を駆動可能な閾値電圧Ｖth以上の場合、内蔵バッテリー７１の電力の供給を停止する停止回路７００と、を備える。
【００５１】
以上のように、本実施形態に係るモバイルプリンター１は、モバイルバッテリーユニット８を装着することができるため、モバイルバッテリーユニット８を装着できない場合と比較して、ＡＣ電源等の商用電源からの電力の供給をせずに印刷処理を継続できる時間を長くすることができる。このため、本実施形態によれば、モバイルプリンター１に対してモバイルバッテリーユニット８を装着できない場合と比較して、モバイルプリンター１の携帯性を高くすることが可能となる。
【００５２】
持ち運びやすさに利点を有するモバイルプリンターにおいては、場所を選ばず、任意の場所で使用できるという点が求められる。言い換えれば、ＡＣ電源の場所に依存せずにモバイルプリンターが利用できることが求められる。
本実施形態に係るモバイルプリンター１は、モバイルバッテリー８１の電圧が閾値電圧Ｖth以上である場合、内蔵バッテリー７１の電力の供給を停止するので、モバイルバッテリー８１の電力が優先して使用される。モバイルバッテリー８１の電力が使用され、モバイルバッテリー８１の電圧が閾値電圧Ｖth未満となる場合、モバイルバッテリー８１をＡＣ電源で充電しながら、モバイルプリンター１を内蔵バッテリー７１によって動作させることが可能となる。モバイルバッテリーユニット８はモバイルプリンター１から取り外すことができるため、モバイルバッテリー８１をＡＣ電源で充電する場合に、ＡＣ電源とモバイルプリンター１とが離れていてもよい。このように、本実施形態によれば、モバイルバッテリー８１からの給電を優先することにより、モバイルプリンター１の設置場所が限定されないため、任意の場所において印刷処理を実行しつつ、モバイルバッテリー８１の充電をすることが可能になる。
他方、仮に、内蔵バッテリー７１から記録ヘッド３０に優先して電力を供給する場合、内蔵バッテリー７１が完全放電状態になると、モバイルバッテリー８１からの電力の供給が必要となる。そして、モバイルプリンター１がモバイルバッテリー８１から給電されている場合には、モバイルバッテリーユニット８をモバイルプリンター１から取り外すことができない。このため、モバイルバッテリー８１が完全放電状態になると、印刷処理を完全に停止してしまう。よって、内蔵バッテリー７１から記録ヘッド３０に優先して電力を供給する場合において、モバイルバッテリー８１が完全放電状態となった後においても印刷処理を継続させるためには、ＡＣ電源の近傍にモバイルプリンター１を移動する必要がある。
このように、本実施形態によれば、モバイルプリンター１の設置場所を任意の場所とする場合であっても、内蔵バッテリー７１からの給電を優先する場合と比較して、印刷処理ができない時間を短縮することが可能になる。また、本実施形態によれば、内蔵バッテリー７１からの給電を優先する場合と比較して、モバイルプリンター１の設置場所が限定されないため、設置場所が限定されずにモバイルプリンター１を長時間使用することが可能になる。
【００５３】
また、本実施形態に係るモバイルプリンター１において、内蔵バッテリー７１の満充電状態の電圧Ｖb1は閾値電圧Ｖthより低く、モバイルプリンター１は、内蔵バッテリー７１から記録ヘッド３０に電力を供給する内蔵バッテリー電力供給経路ＲT1、及び、モバイルバッテリー８１から記録ヘッド３０に電力を供給するモバイルバッテリー電力供給経路ＲT2に共通のノードｎd1、を備える。停止回路７００は、内蔵バッテリー電力供給経路ＲT1上に設けられ、内蔵バッテリー７１の電圧Ｖb1を昇圧するか否かを切り替え可能な停止部昇圧回路７３と、内蔵バッテリー電力供給経路ＲT1上に設けられ、アノードが停止部昇圧回路７３と電気的に接続され、カソードがノードｎd1と電気的に接続される停止部ダイオード７４と、を備える。停止回路７００は、モバイルバッテリー８１の電圧Ｖb2が閾値電圧Ｖth以上の場合、停止部昇圧回路７３による内蔵バッテリー７１の電圧Ｖb1の昇圧を停止し、モバイルバッテリー８１の電圧が閾値電圧Ｖth未満の場合、停止部昇圧回路７３によって内蔵バッテリー７１の電圧Ｖb1を閾値電圧Ｖthに昇圧する。
このように、本実施形態によれば、モバイルバッテリー８１の電圧が閾値電圧Ｖth以上の場合、停止部昇圧回路７３による内蔵バッテリー７１の電圧Ｖb1の昇圧を停止する。このため、本実施形態によれば、モバイルバッテリー８１の電圧Ｖb2が閾値電圧Ｖth以上の場合、停止部ダイオード７４をオフさせることができる。すなわち、本実施形態によれば、モバイルバッテリー８１の電圧Ｖb2が閾値電圧Ｖth以上の場合に内蔵バッテリー７１からの給電を停止し、モバイルバッテリー８１からの給電を優先できる。従って、本実施形態によれば、モバイルプリンター１の設置場所を任意の場所とする場合であっても、内蔵バッテリー７１からの給電を優先する場合と比較して、印刷処理ができない時間を短縮することが可能になる。
さらに、停止回路７００は、内蔵バッテリー７１からの電力の出力を完全に停止しておらず、停止部昇圧回路７３による内蔵バッテリー７１の電圧Ｖb1の昇圧を停止しているに過ぎない。内蔵バッテリー７１の電圧Ｖb1の昇圧を停止する状態から電圧Ｖb1を昇圧するまでにかかる時間は、内蔵バッテリー７１の電力の出力を停止する状態から電力を出力するまでにかかる時間より短い。従って、本実施形態によれば、内蔵バッテリー７１の電力の出力を完全に停止する場合と比較して、モバイルバッテリーユニット８が不意に取り外れてから記録ヘッド３０に再び電力を供給できるまでの時間を短くすることが可能になる。
【００５４】
また、本実施形態に係るモバイルプリンター１において、モバイルバッテリー電力供給経路ＲT2上に設けられる電力供給スイッチ６００と、モバイルバッテリー８１の電圧Ｖb2が閾値電圧Ｖth以上の場合、停止部昇圧回路７３に対して内蔵バッテリー７１の電圧Ｖb1の昇圧を停止させるとともに電力供給スイッチ６００をオンさせ、モバイルバッテリー８１の電圧が閾値電圧Ｖth未満の場合、停止部昇圧回路７３に対して内蔵バッテリー７１の電圧を閾値電圧Ｖthに昇圧させるとともに電力供給スイッチ６００をオフさせる、メイン制御回路１１と、を備える。
これにより、モバイルバッテリーユニット８が装着されていても、電力供給スイッチ６００をオフすることにより、内蔵バッテリー７１に電力を供給させることが可能になる。
【００５５】
また、本実施形態に係るモバイルプリンター１において、モバイルバッテリー８１の最大容量は、内蔵バッテリー７１の最大容量より大きい。
これにより、本実施形態に係るモバイルプリンター１は、内蔵バッテリー７１からの給電を優先する場合と比較して、一回の充電で長時間使用することが可能になる。
【００５６】
また、本実施形態に係るモバイルプリンター１は、モバイルバッテリー８１の容量を表示する表示装置５０を備える。例えば、表示装置５０は、モバイルバッテリー８１が完全放電状態である場合に、モバイルバッテリー８１の残容量が「０％」である旨を表示し、モバイルバッテリー８１が満充電状態である場合に、モバイルバッテリー８１の残容量が「１００％」である旨を表示する。
モバイルバッテリー８１が完全放電状態である場合、ポータブルプリンターＰのユーザーは、表示装置５０を見ることによって、モバイルバッテリー８１が完全放電状態であり充電が必要であることに気づくことが可能になる。従って、ユーザーは、モバイルバッテリー８１が完全放電状態になる前にモバイルバッテリー８１の充電が必要であることに気づいてモバイルバッテリー８１の充電作業をすることにより、印刷処理ができない時間を短縮することが可能になる。
【００５７】
＜＜Ｂ．変形例＞＞
以上の各形態は多様に変形され得る。具体的な変形の態様を以下に例示する。以下の例示から任意に選択される２以上の態様は、相互に矛盾しない範囲内で適宜に併合され得る。なお、以下に例示する変形例において作用や機能が実施形態と同等である要素については、以上の説明で参照の符号を流用して各々の詳細な説明を適宜に省略する。
【００５８】
＜変形例１＞
上述の形態において、停止回路７００が、停止部昇圧回路７３と停止部ダイオード７４とを含む構成を例示するが、このような態様に限定されるものではない。例えば、停止回路７００は、停止部ダイオード７４の代わりに、スイッチを備えてもよい。メイン制御回路１１は、モバイルバッテリー８１の電圧Ｖb2が閾値電圧Ｖth以上の場合、停止回路７００のスイッチをオフして内蔵バッテリー７１の電力の供給を停止し、モバイルバッテリー８１の電圧Ｖb2が閾値電圧Ｖth未満の場合、停止回路７００のスイッチをオンして内蔵バッテリー７１に電力を供給させる。
【００５９】
＜変形例２＞
上述の各形態では、メイン制御回路１１が電力供給スイッチ６００と停止部昇圧回路７３とを制御する機能を有するが、このような態様に限定されるものではない。例えば、サブ制御回路１２が、電力供給スイッチ６００と停止部昇圧回路７３とを制御する機能を有していてもよい。この場合、メイン制御回路１１が、制御部の一例である。
【００６０】
＜変形例３＞
上述の各形態において、表示装置５０は、モバイルバッテリー８１の残容量を表示するが、このような態様に限定されるものではない。例えば、表示装置５０は、モバイルバッテリー８１及び内蔵バッテリー７１が完全放電状態となる前に、モバイルプリンター１が印刷データＩmgの示す画像を形成する印刷処理を終了できるか否かを示す印刷処理完了可否情報を表示可能であってもよい。この場合、制御モジュール１０のうち、例えば、メイン制御回路１１が、印刷データＩmgまたは印刷信号ＳＩと、状態信号Ｓb及び状態信号ＳSbとに基づいて、印刷処理完了可否情報を生成し、生成する印刷処理完了可否情報を、表示装置５０に供給してもよい。
【００６１】
＜変形例４＞
上述の各形態において、表示装置５０を「報知部」の一例とする構成を例示するが、このような態様に限定されるものではない。例えば、報知部はスピーカーでもよい。このスピーカーは、音声によって、例えば、モバイルバッテリー８１の容量をユーザーに報知する。
【００６２】
＜変形例５＞
上述の各形態において、キャリッジ４３及び記録ヘッド３０をＸ軸方向に往復運動するシリアル方式のモバイルプリンター１を例示するが、このような態様に限定されるものではない。吐出部が媒体の全幅にわたり分布するライン方式のモバイルプリンターにも適用することが可能である。
【符号の説明】
【００６３】
１…モバイルプリンター、８…モバイルバッテリーユニット、１０…制御モジュール、３０…記録ヘッド、５０…表示装置、７０…内蔵バッテリーモジュール、７１…内蔵バッテリー、８０…モバイルバッテリーモジュール、８１…モバイルバッテリー、６００…電力供給スイッチ、７００…停止回路、Ｐ…ポータブルプリンター。
【図１】
2020044815.tif 000003
【図２】
2020044815.tif 000004
【図３】
2020044815.tif 000005
【図４】
2020044815.tif 000006
【図５】
2020044815.tif 000007
【図６】
2020044815.tif 000008
【図７】
2020044815.tif 000009
【図８】
2020044815.tif 000010